(57)【要約】【課題】本発明は、送風ファンを正しく駆動することのできる発熱体収納装置用冷却装置を提供することを目的とする。【解決手段】制御装置１５は、受信したＰＷＭ信号のエッジを検出して周期情報を生成する周期判断手段１８と、初期起動時に生成された周期情報から基本周期情報を生成する基本周期判断手段と、この基本周期情報を格納する周期メモリー手段１９と、前記周期情報と基本周期情報とを比較して、受信したＰＷＭ信号の有効無効を判定する周期比較手段２０と、この周期比較手段２０の判定結果によって、受信したＰＷＭ信号からデューティ比を算出するＰＷＭ信号判断手段２１と、このＰＷＭ信号判断手段２１の信号をもとに送風ファンの運転指示を行う運転指示手段２２とを有し、それに対応した運転指示を行い送風ファンを正しく駆動することができる。【選択図】図３
2010073931.tif 000002
【特許請求の範囲】
【請求項１】
第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信したＰＷＭ信号の一定の方向に変化するエッジを連続して検出してその信号の周期情報を生成する周期判断手段と、初期起動時に生成された周期情報から基本周期情報を生成する基本周期判断手段と、この基本周期情報を格納する周期メモリー手段と、前記周期情報と基本周期情報とを比較して、受信したＰＷＭ信号の有効無効を判定する周期比較手段と、この周期比較手段の判定結果によって、受信したＰＷＭ信号からデューティ比を算出するＰＷＭ信号判断手段と、このＰＷＭ信号判断手段の信号をもとに前記第１および第２の送風ファンの運転指示を行う運転指示手段とを有する発熱体収納装置用冷却装置。
【請求項２】
発熱体収納装置から電源を供給されて駆動する構成とした請求項１記載の発熱体収納装置用冷却装置。
【請求項３】
周期メモリー手段に格納した基本周期情報は、発熱体収納装置の起動時に上書きされて格納される構成とした請求項１記載の発熱体収納装置用冷却装置。
【請求項４】
発熱体収納装置の起動時に受信したＰＷＭ信号を所定の回数受信して基本周期情報を生成する周期判断手段を備えた請求項１から３のいずれかに記載の発熱体収納装置用冷却装置。
【請求項５】
発熱体収納装置の起動時に受信したＰＷＭ信号を所定の時間受信して基本周期情報を生成する周期判断手段を備えた請求項１から３のいずれかに記載の発熱体収納装置用冷却装置。
【請求項６】
周期判断手段は、発熱体収納装置の起動時に受信したＰＷＭ信号のから周期情報のうち最大値と最小値を除いて基本周期情報を生成する最大最小除去手段を備えた請求項４または５記載の発熱体収納装置用冷却装置。
【請求項７】
一定方向に変化するエッジを連続して検出し、その時間の間隔が所定の間隔よりも大きいときは、無効とする周期情報判断手段を備えた発熱体収納装置用冷却装置。
【請求項８】
一定方向に変化するエッジを連続して検出し、その時間間隔が所定の間隔よりも小さいときは、無効とする周期情報判断手段を備えた発熱体収納装置用冷却装置。
【請求項９】
請求項１から８に記載の発熱体収納装置用冷却装置を備えた発熱体収納装置。
【発明の詳細な説明】
【技術分野】
【０００１】
本発明は、発熱体収納装置に関するものである。
【背景技術】
【０００２】
例えば、発熱体収納装置用冷却装置を用いた発熱体収納装置としては携帯電話の基地局があるがこの基地局は、内部に数十アンペア以上の電流が流れる通信機を複数台設け、発生する熱をファンで冷却する構成をしていた。
【０００３】
そして、この発熱体収納装置では、発熱体収納装置用冷却装置は、通信機器側から送信された運転制御信号に基づいてファンを駆動するようにしていた（これに類似する先行文献としては特許文献１を参照）。
【特許文献１】特開２０００−１６１８７５号公報
【発明の開示】
【発明が解決しようとする課題】
【０００４】
上記従来の発熱体収納装置においては、通信機器から一定周期ごとにファンの駆動スピードに対応させたデューティ比を持ったパルス信号を送信して、この信号を発熱体収納装置用冷却装置が受信してデューティ比を計算して、ファンの駆動を行っていた。
【０００５】
このような発熱体収納装置では、先にも記載したように内部に設けた通信機器の動作により数十アンペア以上の電流が流れ通信機器の動作に伴いノイズが発生して、発熱体収納装置用冷却装置が受信する信号にそのノイズが重畳されることがある。このため、一定の周期が乱れ、通信機器からの信号を正しく受け取ることができなくなり、ファンを駆動することが困難になることがあった。
【０００６】
そこで、本発明は、ファンを正しく駆動することのできる発熱体収納装置用冷却装置を提供することを目的とするものである。
【課題を解決するための手段】
【０００７】
そして、この目的を達成するめに本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信したＰＷＭ信号の一定の方向に変化するエッジを連続して検出してその信号の周期情報を生成する周期判断手段と、初期起動時に生成された周期情報から基本周期情報を生成する基本周期判断手段と、この基本周期情報を格納する周期メモリー手段と、前記周期情報と基本周期情報とを比較して、受信したＰＷＭ信号の有効無効を判定する周期比較手段と、この周期比較手段の判定結果によって、受信したＰＷＭ信号からデューティ比を算出するＰＷＭ信号判断手段と、このＰＷＭ信号判断手段の信号をもとに前記第１および第２の送風ファンの運転指示を行う運転指示手段とを有する構成としたものであり、基本周期情報と周期情報を周期比較手段で比較することで受信したＰＷＭ信号の良否を判定し、ＰＷＭ信号判断手段で、受信したＰＷＭ信号のデューティ比を算出して、それに対応した運転指示を行い第１および第２送風ファンを正しく駆動することができるという所期の目標を達成するものである。
【０００８】
また、発熱体収納装置から電源を供給されて駆動する構成としたものであり、発熱体収納装置の起動時に通信機の起動に合わせて起動させることができるので、基本周期情報を正しく生成して、周期メモリー手段へ格納して、ファンを正しく駆動することができる。
【０００９】
また、周期メモリー手段に格納した基本周期情報は、発熱体収納装置の起動時に上書きされて格納される構成としたものであり、発熱体収納装置用冷却装置の設置時に現場にて容易に基本周期情報を周期メモリー手段へ格納して、ファンを正しく駆動することができる。
【００１０】
また、発熱体収納装置の起動時に受信したＰＷＭ信号を所定の回数受信して基本周期情報を生成する基本周期判断手段を備えたものであり、平均値を算出してより確かな基本周期情報を周期メモリー手段へ格納して、これをもとに受信したＰＷＭ信号の「有効」「無効」を確実に判断して、ファンを正しく駆動することができる。
【００１１】
また、発熱体収納装置の起動時に受信したＰＷＭ信号を所定の時間受信して基本周期情報を生成する基準情報を生成する周期判断手段を備えたものであり、平均値を算出してより確かな基本周期情報を周期メモリー手段へ格納して、これをもとに受信したＰＷＭ信号の「有効」「無効」を確実に判断してファンを正しく駆動することができる。
【００１２】
また、基本周期判断手段は、発熱体収納装置の起動時に受信したＰＷＭ信号のから周期情報のうち最大値と最小値を除いて基本周期情報を生成する最大最小除去手段を備えたものであり、平均化して生成する基本周期情報の精度が向上して、より正しく運転指令の「有効」「無効」の判定して、ファンを正しく駆動することができる。
【００１３】
また、一定方向に変化するエッジを連続して検出し、その時間の間隔が所定の間隔よりも大きいときは、無効とする周期情報判断手段を備えたものであり、より早くノイズの影響を受けた信号を無視して次の信号の受信に備えて、ファンを正しく駆動することができる。
【００１４】
また、一定方向に変化するエッジを連続して検出し、その時間間隔が所定の間隔よりも小さいときは、無効とする周期情報判断手段を備えたものであり、より早くノイズの影響を受けた信号を無視して次の信号の受信に備えて、ファンを正しく駆動することができる。
【００１５】
また、発熱体収納装置用冷却装置を備えた発熱体収納装置を構成するものであり、通信機からの運転指令を正しく受信して、正しく第１および第２の送風ファンの駆動を行うことができる発熱体収納装置用冷却装置とそれを用いた発熱体収納装置を提供することができる。
【発明の効果】
【００１６】
以上のように本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信したＰＷＭ信号の一定の方向に変化するエッジを連続して検出してその信号の周期情報を生成する周期判断手段と、初期起動時に生成された周期情報から基本周期情報を生成する基本周期判断手段と、この基本周期情報を格納する周期メモリー手段と、前記周期情報と基本周期情報とを比較して、受信したＰＷＭ信号の有効無効を判定する周期比較手段と、この周期比較手段の判定結果によって、受信したＰＷＭ信号からデューティ比を算出するＰＷＭ信号判断手段と、このＰＷＭ信号判断手段の信号をもとに前記第１および第２の送風ファンの運転指示を行う運転指示手段とを有する構成としたものであるので、基本周期情報と周期情報を周期比較手段で比較することで受信したＰＷＭ信号の良否を判定し、ＰＷＭ信号判断手段で、受信したＰＷＭ信号のデューティ比を算出して、それに対応した運転指示を行い第１および第２送風ファンを正しく駆動することを可能とした発熱体収納装置用冷却装置および発熱体収納装置を提供することができる。
【発明を実施するための最良の形態】
【００１７】
本発明の請求項１記載の発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信したＰＷＭ信号の一定の方向に変化するエッジを連続して検出してその信号の周期情報を生成する周期判断手段と、初期起動時に生成された周期情報から基本周期情報を生成する基本周期判断手段と、この基本周期情報を格納する周期メモリー手段と、前記周期情報と基本周期情報とを比較して、受信したＰＷＭ信号の有効無効を判定する周期比較手段と、この周期比較手段の判定結果によって、受信したＰＷＭ信号からデューティ比を算出するＰＷＭ信号判断手段と、このＰＷＭ信号判断手段の信号をもとに前記第１および第２の送風ファンの運転指示を行う運転指示手段とを有するもので、基本周期情報と周期情報を周期比較手段で比較することで受信したＰＷＭ信号の良否を判定し、ＰＷＭ信号判断手段で、受信したＰＷＭ信号のデューティ比を算出して、それに対応した運転指示を行い第１および第２送風ファンを駆動するという作用を有する。
【００１８】
また、請求項２記載の発明は、発熱体収納装置から電源を供給されて駆動するもので、発熱体収納装置の起動時に通信機の起動に合わせて起動させることができるので、基本周期情報を正しく生成して、周期メモリー手段へ格納することができる。
【００１９】
また、請求項３記載の発明は、周期メモリー手段に格納した基本周期情報は、発熱体収納装置の起動時に上書きされて格納されるもので、発熱体収納装置用冷却装置の設置時に現場にて容易に基本周期情報を周期メモリー手段へ格納することができる。
【００２０】
また、請求項４記載の発明は、発熱体収納装置の起動時に受信したＰＷＭ信号を所定の回数受信して基本周期情報を生成する周期判断手段を備えたもので、平均値を算出してより確かな基本周期情報を周期メモリー手段へ格納して、これをもとに受信したＰＷＭ信号の「有効」「無効」を確実に判断することができる。
【００２１】
また、請求項５記載の発明は、発熱体収納装置の起動時に受信したＰＷＭ信号を所定の時間受信して基本周期情報を生成する基準情報を生成する基本周期判断手段を備えたもので、平均値を算出してより確かな基本周期情報を周期メモリー手段へ格納して、これをもとに受信したＰＷＭ信号の「有効」「無効」を確実に判断することができる。
【００２２】
また、請求項６記載の発明は、基本周期判断手段は、発熱体収納装置の起動時に受信したＰＷＭ信号のから周期情報のうち最大値と最小値を除いて基本周期情報を生成する最大最小除去手段を備えたもので、平均化して生成する基本周期情報の精度が向上して、より正しく運転指令の「有効」「無効」の判定ができる。
【００２３】
また、請求項７記載の発明は、一定方向に変化するエッジを連続して検出し、その時間の間隔が所定の間隔よりも大きいときは、無効とする周期情報判断手段を備えたもので、より早くノイズの影響を受けた信号を無視して次の信号の受信に備えることとなる。
【００２４】
また、請求項８記載の発明は、一定方向に変化するエッジを連続して検出し、その時間間隔が所定の間隔よりも小さいときは、無効とする周期情報判断手段を備えたもので、より早くノイズの影響を受けた信号を無視して次の信号の受信に備えることとなる。
【００２５】
また、請求項９記載の発明は、発熱体収納装置用冷却装置を備えた発熱体収納装置を構成するもので、通信機からの運転指令を発熱体収納装置用冷却装置は正しく受信して、正しく第１および第２の送風ファンの駆動を行うことができる。
【００２６】
以下、本発明の実施の形態について図面を参照しながら説明する。
【００２７】
（実施の形態１）
図１において、１はビルディングを示し、その屋上２には携帯電話の基地局３が設けられている。携帯電話の基地局３は発熱体収納装置である箱状のキャビネット４とこのキャビネット４内に設けた複数の通信機５と前記キャビネット４の前面開口部にドアのごとく開閉自在に設けた発熱体収納装置用冷却装置６とにより構成されている。
【００２８】
前記発熱体収納装置用冷却装置６は、図２に示すように、外気（第１環境）用の第１吸気口７と第１吐出口８およびキャビネット４内（第２環境）用の第２吸気口９と第２吐出口１０を有する本体ケース１１と、この本体ケース１１内に設けられた外気（第１環境）用の第１の送風ファン１２およびキャビネット４内（第２環境）用の第２の送風ファン１３と、前記本体ケース１１内において外気（第１環境）の空気とキャビネット４内（第２環境）の空気との熱交換を行う熱交換器１４とを備えている。
【００２９】
また、発熱体収納装置用冷却装置６は、第１の送風ファン１２と第２の送風ファン１３を制御する制御装置１５を備え、この制御装置１５は、通信機５と通信線１６で接続されている。
【００３０】
また、制御装置１５は、前記通信機５とともにキャビネット４に供給される外部電源（図示せず）を変換した直流電源（図示せず）に接続される。
【００３１】
さらに、制御装置１５は、通信線１６に接続されて入力されるＰＷＭ信号に含まれる一定の方向へ変化するエッジを連続して検出するＰＷＭ信号エッジ検出手段１７と、このＰＷＭ信号エッジ検出手段１７の検出した連続するエッジの間隔を計測してＰＷＭ信号の周期情報を生成する周期判断手段１８と、初期起動時に生成された周期情報から基本周期情報を生成する（言い換えると基本周期判断を行う）基本周期判断手段１８Ａと前記基本周期情報を格納する周期メモリー手段１９とから構成される。さらに、制御装置１５は、前記周期判断手段１８と周期メモリー手段１９に接続して前記周期情報と前記基本周期情報とを比較して受信したＰＷＭ信号の有効無効を判定する周期比較手段２０と、この周期比較手段２０に接続して前記有効無効の判定結果によって、受信したＰＷＭ信号からデューティ比を算出するＰＷＭ信号判断手段２１と、このＰＷＭ信号判断手段２１に接続して算出されたデューティ比をもとに第１の送風ファン１２および第２の送風ファン１３の運転指示を行う運転指示手段２２と、この運転指示手段２２の指示に基づいて第１の送風ファン１２と第２の送風ファン１３を別々に運転させるインバーター２３とを備えたものである。
【００３２】
そして、基本周期判断手段１８Ａは、図４に示すようなアルゴリズムを有するものである。すなわち、連続するエッジの時間間隔を計測するエッジ間隔計測手段２４と、あらかじめ設定した所定の回数に対して前記時間間隔を計測した回数をカウントするカウント手段２５と、計測した時間間隔の平均値を算出する平均化手段２６と、この平均値を周期メモリー手段１９へ格納する格納手段２７とを有したものである。また、この格納手段２７は特に、前記平均値を周期メモリー手段１９へ上書きして格納するものである。
【００３３】
さて、以上のような構成によれば、キャビネット４内で通信機５の動作にともなって、通信線１６を伝わって、通信機５から発熱体収納装置用冷却装置６へ運転指令として図５（ａ）に示すようなＰＷＭ信号が送信されてくる。すなわち、所定の周期Ｔ内に所定時間ｔだけ「Ｈｉ」となるパルスを形成した信号であって、そのパルス幅を運転指令の内容に応じて変化させた信号が送信される。
【００３４】
そして、図５（ｃ）に示すように発熱体収納装置用冷却装置６内の制御装置１５は、この信号をＰＷＭ信号判断手段２１で読み込みｔ／Ｔの比率であるデューティ比を算出して、そのデューティ比に対応する回転数で、第１の送風ファン１２および第２の送風ファン１３を駆動することとなる。
【００３５】
ところが、図５（ｂ）通信機５では１ＧＨｚといった高周波信号を増幅などの処理しており、この高周波信号の処理の際に発生する電気的ノイズにより、通信線１６にもその影響が出て、ノイズとなってＰＷＭ信号判断手段２１に伝達してしまう。
【００３６】
しかし、以上のような状況のなかでも確実に運転指令を受信するために、本実施例は、あらかじめ基本周期情報を生成しておいて、運転指令の受信のたびに受信信号の周期情報と比較してその信号の有効無効を判断することが極めて有効となる。
【００３７】
すなわち、携帯電話の基地局３のキャビネット４に通信機５と発熱体収納装置用冷却装置６を設置し、キャビネット４から電源を供給されて駆動するように構成し、電源が供給されてこれらの運転を開始したときに、その起動時に発熱体収納装置用冷却装置６は、図４に示すフローチャートのようにして受信するＰＷＭ信号から基本周期判断を行い、これを基本周期情報を周期メモリー手段１９に上書き保存しておくものである。
【００３８】
図４のステップ４から６で、エッジ間隔計測手段２４が受信したＰＷＭ信号の立ち上がりエッジ間の検出時間差を検出する。さらに、ステップ７に示すように、平均化手段２６は、複数回の検出時間差から平均値を算出する。
【００３９】
また、ステップ２にてカウント手段２５にてあらかじめ設定した所定の回数（例えば２０回）に対して、検出時間差の検出回数をカウントすることとなる。そして、所定の回数（例えば２０回）となると、ステップ８にて格納手段２７は、周期メモリー手段１９に検出時間差の平均値を上書き格納してＰＷＭ信号の基本周期判断を終了することとなる。
【００４０】
その後、通信機５が携帯電話機の送受信を開始して、その動作によりキャビネット４内の温度が上昇すると、発熱体収納装置用冷却装置６に対して、運転指令を送信する。
【００４１】
発熱体収納装置用冷却装置６は通信線１６を通じて、図５に示すＰＷＭ信号を受信して、その信号のＰＷＭ信号エッジ検出手段１７は、立ち上がりエッジを検出して、周期判断手段１８により第１番目のエッジと第２番目のエッジの間隔から前記ＰＷＭ信号の周期を計測して周期情報を生成する。そして、周期比較手段２０は、この周期情報とあらかじめ周期メモリー手段１９へ格納した基本周期情報とを比較して、受信したＰＷＭ信号の「有効」「無効」を判定して、ＰＷＭ信号判断手段２１へ送付することとなる。一方、ＰＷＭ信号判断手段２１は、受信した信号の立ち上がりエッジから立ち下りエッジまでの「Ｈｉ」レベルの時間ｔと立ち上がりから次の立ち上がりまでの時間Ｔを計測して、ｔ／Ｔなるデューティ比を算出する。
【００４２】
そして、前記ＰＷＭ信号判断手段２１の判断結果が「有効」であるときは、運転指示手段２２へ前記デューティ比に基づいて第１の送風ファン１２と第２の送風ファン１３の回転数を運転指示手段２２へ送信する。運転指示手段２２は、インバーター２３を駆動して第１の送風ファン１２と第２の送風ファン１３の回転数は、正しく制御されることとなる。また、前記ＰＷＭ信号判断手段２１の判断結果が「無効」となったときは、ＰＷＭ信号判断手段２１は、第１の送風ファン１２および第２の送風ファン１３の回転数の指示は変更せずに前回のままとして運転指示手段２２へ送信することなり、新たな回転数の指示は行わない。すなわち、ノイズの影響を受けた信号の運転指令は無視されることとなり、誤った駆動をしてしまうことを防止することができる。
【００４３】
また、ＰＷＭ信号を所定の回数受信して基本周期情報を生成することで、より確かな基本周期情報を周期メモリー手段１９へ格納して、これをもとに受信したＰＷＭ信号の「有効」「無効」を確実に判断することができる。
【００４４】
また、発熱体収納装置用冷却装置６は、キャビネット４から電源を供給されて駆動する構成としているので、キャビネット４の起動時に通信機５の起動に合わせて起動させることができるので、基本周期情報を正しく生成して、周期メモリー手段１９へ格納することができる。
【００４５】
また、基本周期情報は、周期メモリー手段１９へ上書きをして格納する構成としているので、発熱体収納装置用冷却装置６の設置時に現場にて容易に基本周期情報を周期メモリー手段１９へ格納することができる。すなわち、上書きでなく書き込みを行う場合は、電源の遮断の際に既に格納されている情報の消去作業が必要であり、これ確実に行うためには、電源が遮断された後に一定時間電源電圧を確保するバッテリー等の電源がさらに必要となり、設置現場での装置構成が大掛かりになってしまう。しかしながら、本実施の形態のように、上書きする構成とすることで、このような電源を用意することが不要となる。
【００４６】
また、本実施の形態のように、ＰＷＭ信号判断手段２１は、受信した信号の立ち上がりエッジから立ち下りエッジまでの「Ｈｉ」レベルの時間ｔと立ち上がりから次の立ち上がりまでの時間Ｔを計測して、ｔ／Ｔなるデューティ比を算出するように構成した場合には、デューティ比を算出するための演算は、マイクロコンピュータ（図示せず）を使用しておこなうこととなるためその演算に時間がかかる。そこで、周期判断手段１８に一定方向に変化するエッジを連続して検出し、その時間間隔が所定の間隔よりも大きいときに、受信したＰＷＭ信号を無効にする構成を加えることで、より早くノイズの影響を受けた信号を無視することができる。また、その時間間隔が所定の間隔よりも小さいときに、受信したＰＷＭ信号を無効にする構成を加えることで、より早くノイズの影響を受けた信号を無視することができる。そして、次の信号の受信に備えて、確実に受信を行うことができる。
【００４７】
また、基本周期判断手段１８Ａは、カウント手段２５を備えて、所定の回数（例えば２０回）だけ時間間隔を計測して、その平均値を基本周期情報として、周期メモリー手段１９へ格納する構成としたが、基本周期判断手段１８Ｂとして、カウント手段２５に替えて、図６のステップ２に示すようにあらかじめ所定の時間（例えば１秒間）を設定して、その時間をもとに時間をカウントする時間カウント手段２８を備え、所定の時間（例えば１秒間）内に計側した時間間隔の平均値を平均化手段２６で算出して、基本周期情報としてもその作用効果に変わりはない。
【００４８】
そして、これらの結果として、通信機からの運転指令を正しく受信して、正しく第１および第２の送風ファンの駆動を行うことができる発熱体収納装置用冷却装置とそれを用いた発熱体収納装置を提供することができる。
【００４９】
（実施の形態２）
さて、本実施の形態では、基本周期判断手段１８Ｃは、検出した時間間隔のなかから最大値と最小値を除いて基本周期情報を生成する最大最小除去手段２９を備えたものである。なお、実施の形態１と同一構成部分については、理解を容易にするために、同一符号を用い、その詳細な説明を簡略化する。
【００５０】
すなわち、図６のステップ７に示すように、実施の形態１では、平均化手段２６は、複数回の検出時間差から平均値を算出しているが、本実施の形態では、図７に示すように最大最小除去手段２９を有し、ステップ６で検出した３回以上の複数回の検出時間差から、ステップ７、８にて最大値を検出し、ステップ９、１０にて最小値を検出し、ステップ１２において、前記最大値と最小値を除いた検出時間差から平均値を算出して、基本周期情報を生成する。
【００５１】
以上のように、最大最小除去手段２９を備えることで、平均化して生成する基本周期情報の精度が向上して、より正しく運転指令の「有効」「無効」の判定ができるようになり、キャビネット４内の空気の排熱をより適切の行うことができる。
【００５２】
なお、本実施の形態では、実施の形態１の図６、すなわち基本周期判断手段１８Ｂに対して、最大最小除去手段２９を備えた基本周期判断手段１８Ｃの例を説明したが、図４、すなわち基本周期判断手段１８Ａに対して最大最小除去手段２９を備えた基本周期判断手段の構成としても良い。
【産業上の利用可能性】
【００５３】
以上のように本発明は、第１環境用の第１吸気口と第１吐出口および第２環境用の第２吸気口と第２吐出口を有する本体ケースと、この本体ケース内に設けられた第１環境用の第１の送風ファンおよび第２環境用の第２の送風ファンと、前記本体ケース内において第１環境の空気と第２環境の空気との熱交換を行う熱交換器と、前記第１および第２の送風ファンの制御を行う制御装置とを備え、前記制御装置は、受信したＰＷＭ信号の一定の方向に変化するエッジを連続して検出してその信号の周期情報を生成する周期判断手段と、初期起動時に生成された周期情報から基本周期情報を生成する基本周期判断手段と、この基本周期情報を格納する周期メモリー手段と、前記周期情報と基本周期情報とを比較して、受信したＰＷＭ信号の有効無効を判定する周期比較手段と、この周期比較手段の判定結果によって、受信したＰＷＭ信号からデューティ比を算出するＰＷＭ信号判断手段と、このＰＷＭ信号判断手段の信号をもとに前記第１および第２の送風ファンの運転指示を行う運転指示手段とを有する構成としたことで、通信機器からの信号を正しく受け取ることができるようになり、ファンを正しく駆動することのできる発熱体収納装置用冷却装置を提供することができる。従って、例えば、通信機器の基地局や、その他屋外設置機器における冷却設備としてきわめて有用なものとなる。
【図面の簡単な説明】
【００５４】
【図１】本発明の一実施形態の設置例を示す斜視図
【図２】同発熱体収納装置用冷却装置の断面図
【図３】同制御装置のブロック図
【図４】同基本周期判断手段による基本周期情報の生成のアルゴリズムを示すフローチャート
【図５】同ＰＷＭ信号と送風ファンの回転数を表す図（（ａ）ＰＷＭ信号の図、（ｂ）ＰＷＭ信号にノイズの影響が出たときの図、（ｃ）ＰＷＭ信号のデューティ比と回転数の関係を示す図）
【図６】同実施の形態１の基本周期判断手段による基本周期情報生成の別のアルゴリズムを示すフローチャート
【図７】同実施の形態２の基本周期判断手段による基本周期情報生成のアルゴリズムを示すフローチャート
【符号の説明】
【００５５】
１      ビルディング
２      屋上
３      携帯電話の基地局
４      キャビネット
５      通信機
６      発熱体収納装置用冷却装置
７      第１吸気口
８      第１吐出口
９      第２吸気口
１０    第２吐出口
１１    本体ケース
１２    第１の送風ファン
１３    第２の送風ファン
１４    熱交換器
１５    制御装置
１６    通信線
１７    ＰＷＭ信号エッジ検出手段
１８    周期判断手段
１８Ａ  基本周期判断手段
１８Ｂ  基本周期判断手段
１８Ｃ  基本周期判断手段
１９    周期メモリー手段
２０    周期比較手段
２１    ＰＷＭ信号判断手段
２２    運転指示手段
２３    インバーター
２４    エッジ間隔計測手段
２５    カウント手段
２６    平均化手段
２７    格納手段
２８    時間カウント手段
２９    最大最小除去手段
【図１】
2010073931.tif 000003
【図２】
2010073931.tif 000004
【図３】
2010073931.tif 000005
【図４】
2010073931.tif 000006
【図５】
2010073931.tif 000007
【図６】
2010073931.tif 000008
【図７】
2010073931.tif 000009